(57)【特許請求の範囲】
【請求項１】
伸縮自在の連結杆と、前記連結杆の一方側端部に設けられ、一方の柱梁に取り付けられる第１取付部材と、前記連結杆の他方側端部に設けられ、他方の柱梁に取り付けられる第２取付部材とを備え、
前記第１取付部材および／または前記第２取付部材は、前記柱梁の取付穴にロック可能なロック部材からなり、
前記ロック部材は、前記連結杆に支持される支持部と、前記柱梁の取付穴に挿入される挿入部と、前記支持部に前記挿入部の長手方向に沿ってスライド可能に設けられるスライド部材とを備え、
前記挿入部は、その先端部が中間部よりも太く形成されており、
前記挿入部を前記柱梁の取付穴に挿入するとともに、前記スライド部材を前記挿入部に対して挿入方向にスライドさせて前記柱梁の取付穴に挿入することにより、前記挿入部の先端部が前記柱梁の取付穴から抜けないロック状態とし、
前記スライド部材を前記挿入部に対して引き抜き方向にスライドさせることにより、前記柱梁の取付穴から前記挿入部の先端部を引き抜き可能なロック解除状態とすることができるように構成されていることを特徴とする、柱梁スパン調整治具。
【請求項２】
前記第１取付部材が前記ロック部材からなり、前記第２取付部が、前記柱梁の取付穴に挿入および引き抜き可能なピンを備えるピン部材からなることを特徴とする、請求項１に記載の柱梁スパン調整治具。
【請求項３】
前記第１取付部材および／または前記第２取付部材は、前記連結杆に揺動自在に取り付けられていることを特徴とする、請求項１または２に記載の柱梁スパン調整治具。
【発明の詳細な説明】
【０００１】
【発明の属する技術分野】
本発明は、柱梁スパン調整治具に関し、詳しくは、鉄骨建方において、鉄骨柱や横梁（鉄骨梁）を連結するときに、それらの間のスパンを調整するための柱梁スパン調整治具に関する。
【０００２】
【従来の技術】
従来より、鉄骨建方において、鉄骨柱や横梁を連結するときには、それらの間のスパンを調整するために、たとえば、鉄骨柱の歪みを直すためにワイヤーを張設して、鉛直方向の傾きを修正する方法や、油圧ジャッキなどによって、鉄骨柱や横梁を引き寄せあるいは引き離す方法などが採用されている。
【０００３】
【発明が解決しようとする課題】
しかし、ワイヤーを張設する方法は、作業が煩雑であり、また、油圧ジャッキを用いる方法では、ジャッキの重量が重く、かつ、取付作業や調整作業に手間を要するため、とりわけ、鉄骨建方のような高所作業には不向きである。
【０００４】
本発明は、このような事情に鑑みなされたものであり、その目的とするところは、小型軽量に作製することができ、簡易な方法によって、柱梁間のスパンを作業効率良く調整することのできる、柱梁スパン調整治具を提供することにある。
【０００５】
【課題を解決するための手段】
上記の目的を達成するため、請求項１に記載の発明は、柱梁スパン調整治具であって、伸縮自在の連結杆と、前記連結杆の一方側端部に設けられ、一方の柱梁に取り付けられる第１取付部材と、前記連結杆の他方側端部に設けられ、他方の柱梁に取り付けられる第２取付部材とを備え、前記第１取付部材および／または前記第２取付部材は、前記柱梁の取付穴にロック可能なロック部材からなり、前記ロック部材は、前記連結杆に支持される支持部と、前記柱梁の取付穴に挿入される挿入部と、前記支持部に前記挿入部の長手方向に沿ってスライド可能に設けられるスライド部材とを備え、前記挿入部は、その先端部が中間部よりも太く形成されており、前記挿入部を前記柱梁の取付穴に挿入するとともに、前記スライド部材を前記挿入部に対して挿入方向にスライドさせて前記柱梁の取付穴に挿入することにより、前記挿入部の先端部が前記柱梁の取付穴から抜けないロック状態とし、前記スライド部材を前記挿入部に対して引き抜き方向にスライドさせることにより、前記柱梁の取付穴から前記挿入部の先端部を引き抜き可能なロック解除状態とすることができるように構成されていることを特徴としている。
【０００６】
このような構成によると、一方の柱梁に第１取付部材を取り付けるとともに、他方の柱梁に第２取付部材を取り付けた後に、連結杆を伸縮させれば、これら柱梁間のスパンを簡易かつ確実に調整することができる。
【０００７】
しかも、この柱梁スパン調整治具では、第１取付部材および／または第２取付部材が、ロック部材からなるので、柱梁の取付穴に対しては、一方向から取付作業することができるので、高所においても効率良く作業することができる。すなわち、ロック部材においては、挿入部を柱梁の取付穴に挿入するとともに、スライド部材を柱梁の取付穴に挿入することにより、この挿入部とスライド部材とで、挿入部における中間部よりも太い先端部が柱梁の取付穴から抜けないロック状態とすることができ、一方、スライド部材を、柱梁の取付穴から引き抜いてロック解除状態にすれば、柱梁の取付穴には、そのスライド部材が引き抜かれた分の隙間があるので、挿入部の先端部を柱梁の取付穴から引き抜くことができる。そのため、このロック部材では、柱梁の取付穴に対して、一方向からロック状態およびロック解除状態とすることができるので、このようなロック部材からなる第１取付部材および／または第２取付部材では、高所においても効率良く、柱梁の取付穴に取り付けることができる。
【０００８】
また、ロック部材のロック状態では、挿入部の太い先端部が柱梁の取付穴から抜けないようにされていることから、高所での落下が防止でき、耐力が強く、大きな力で連結杆を伸縮させて、確実な柱梁のスパン調整を達成することができる。
【０００９】
さらに、この柱梁スパン調整治具は、伸縮自在の連結杆、第１取付部材および第２取付部材から構成されるので、簡易な構成で小型軽量に作製することができ、高所作業においても、良好な作業性を確保することができる。
【００１０】
また、請求項２に記載の発明は、請求項１に記載の発明において、前記第１取付部材が前記ロック部材からなり、前記第２取付部が、前記柱梁の取付穴に挿入および引き抜き可能なピンを備えるピン部材からなることを特徴としている。
【００１１】
このような構成によると、一方の柱梁の取付穴に、ロック部材からなる第１取付部材をロック状態とするとともに、他方の柱梁の取付穴に、ピン部材からなる第２取付部材を挿入すれば、簡易かつ確実に、この柱梁スパン調整治具を各柱梁に取り付けることができる。そのため、より一層、高所作業における作業効率を向上させることができる。
【００１２】
また、請求項３に記載の発明は、請求項１または２に記載の発明において、前記第１取付部材および／または前記第２取付部材は、前記連結杆に揺動自在に取り付けられていることを特徴としている。
【００１３】
このような構成によると、一方の柱梁に、第１取付部材を、適宜揺動させて取り付けることができるとともに、他方の柱梁に、第２取付部材を、適宜揺動させて取り付けることができ、より一層、高所作業における作業効率を向上させることができる。
【００１４】
【発明の実施の形態】
図１は、本発明の柱梁スパン調整治具の一実施形態を示す斜視図、図２は、その側面図、図３は、その平面図である。
【００１５】
柱梁スパン調整治具１は、連結杆としてのターンバックル２と、ターンバックル２の一方側端部（図１における右側端部）に揺動自在に設けられる第１取付部材としてのロック部材３と、ターンバックル２の他方側端部（図１における左側端部）に揺動自在に設けられる第２取付部材としてのピン部材４とを備えている。
【００１６】
ターンバックル２は、図２に示すように、軸部５と、軸部５の両側に左右対称に設けられる２つの枠体部６、６とを備えている。
【００１７】
軸部５は、略円柱状の軸体からなり、中央部から軸方向両端部に向かって相互に逆方向となるねじ山が形成されるねじ軸部７と、その中央部において、ねじ軸部７よりもやや大径の略円環状に形成され、このターンバックル２を操作するための工具５１が取付けられる取付筒部８とが一体的に形成されている。また、取付筒部８の軸方向中央部には、工具５１を挿入するための挿入穴９が、径方向において貫通するように複数穿孔されている。
【００１８】
各枠体部６は、図３に示すように、平面視略Ｕ字状をなし、所定の間隔を隔てて互いに対向する２つの直杆部１０および１１と、これら直杆部１０および１１の長手方向基端側を連結する連結部１２とが一体的に形成されている。また、連結部１２の幅方向中央部には、長手方向を貫通するねじ穴１５が形成されている。また、各枠体部６における直杆部１０および１１の長手方向遊端側には、直杆部１０および１１の厚さ方向を貫通するボルト挿通穴１３がそれぞれ穿孔されている。
【００１９】
そして、ねじ軸部７の軸方向両端部に各枠体部６のねじ穴１５を互いに逆方向に回転させるようにして螺着させることにより、２つの枠体部６、６が、軸部５の両側に取付けられている。
【００２０】
そして、２つの枠体部６、６が、軸部５の両側に取付けられた状態で、図１に示すようなシノ付ラチェットレンチ等の工具５１を取付筒部８の挿入穴９に挿入して、軸部５を正逆方向に回転させることによって、枠体部６、６をねじ軸部７に対して螺進または螺退させ（図３の矢印参照）、これによって、ターンバックル２の長さを伸縮自在としている。
【００２１】
ロック部材３は、ターンバックル２の一方の枠体部６に支持される支持部２１と、支持部２１から突出形成される挿入部２２と、挿入部２２の長手方向に沿ってスライド可能に設けられるスライド部材２３とを備えている。
【００２２】
支持部２１は、略矩形厚板状をなし、その上部の一端側には、上方に向かって膨出する上側係止部２４が形成されるとともに、その下部には、上向きに凹む段部が形成されている。この段部に形成される凹んだ下面２５には、位置決めボルト２６が螺着されている。すなわち、この位置決めボルト２６は、その下面２５から上方に向かって形成されるねじ穴（図示せず）に螺着されており、その頭部２６ａは、螺退時には、後述する挿入部２２の先端部２８と水平方向において略同じ位置まで螺退でき、また、螺進時には、段部に収納されて支持部２１の下面（凹んでいない下面）と面一となるまで螺進できるように設けられている。また、支持部２１の略中央部には、厚さ方向を貫通するボルト挿通穴２７が穿孔されている。
【００２３】
挿入部２２は、支持部２１と一体的に形成され、その下部の一端側から、下方に向かって長手方向に延び、その先端部２８が、中間部２９よりも太く形成されている。先端部２８は、断面略円形状をなし、中間部２９から、内側に膨出するように形成されている。すなわち、中間部２９は、断面略楕円状をなし、その内周面３０が、後述するスライド部材２３の外周面３５とで断面略円形を形成し得るように形成されており、また、その外周面３１が、先端部２８の外周面３２と面一となるように形成されている。
【００２４】
さらに、この外周面３１が連続する支持部２１の一端側の外周面は、外周面３１と面一なるように、略円弧状に形成されており、これによって、支持部２１の一端側の外周面、中間部２９の外周面３１および先端部２８の外周面３２が、同一かつ面一の円弧状となるように形成されている。
【００２５】
スライド部材２３は、支持部２１に、挿入部２２の長手方向に沿ってスライド可能に支持されている。すなわち、このスライド部材２３は、挿入部２２と同方向に延びる略矩形状をなし、支持部２１の一端側の外周面および挿入部２２の外周面３１と当接する内面が、それらと略同一の円弧状として形成されており、また、その反対側の外面、つまり、外周面３５が、前述したように、中間部２９の内周面３０とで断面略円形を形成し得る円弧状として形成されている。
【００２６】
また、このスライド部材２３には、その幅方向中央部において、長手方向に沿う長溝３４が形成されており、一方、支持部２１の一端側の外周面における長手方向略中間部には、この長溝３４に嵌合されるガイドボルト３６が設けられている。これによって、スライド部材２３は、このガイドボルト３６に案内されつつ、ロック部材３の一端側において、上下方向（長手方向）にスライド移動可能とされている。なお、このガイドボルト３６に代えて、支持部２１から凸状突起を一体的に突出させてもよい。
【００２７】
また、このスライド部材２３の後端部には、外側に向かって矩形状に膨出するストッパ部３７が形成されており、このストッパ部３７には、その膨出方向に貫通状のねじ穴３８が形成されている。そして、このねじ穴３８に、ストッパねじ３９を螺着させるとともに、支持部２１の一端側に対して締め付けることで、スライド部材２３が支持部２１に対して固定されている。
【００２８】
また、スライド部材２３の先端部は、その先端部から後端部に向かって長手方向に沿って厚みが順次厚くなるように多段に形成されており、種々のボルト穴径に対応できるように形成されている。
【００２９】
そして、このロック部材３は、支持部２１が一方の枠体部６の直杆部１０および１１の間に挟持された状態で、枠体部６のボルト挿通穴１３とともに支持部２１のボルト挿通穴２７にボルト１４ａが挿通され、その挿通されたボルト１４ａの先端部にナット１４ｂが締結されることにより、ターンバックル２の一方側端部に揺動自在に取付けられている（図２参照）。
【００３０】
ピン部材４は、ターンバックル２の他方の枠体部６に支持される支持部４１と、支持部４１から下方に突出形成され、ボルト穴に挿入および引き抜き可能なピン４２とが一体的に形成されている。
【００３１】
支持部４１は、略矩形厚板状をなし、その略中央部には、厚さ方向を貫通するボルト挿通穴４６が穿孔されている。
【００３２】
ピン４２は、略円柱状をなし、支持部４１の下部の他端側から下方に向かって延び、その先端部４３が、ボルト穴に挿入しやすいように尖形状に形成されている。
【００３３】
そして、このピン部材４は、支持部４１が他の枠体部６の直杆部１０および１１の間に挟持された状態で、枠体部６のボルト挿通穴１３とともに支持部４１のボルト挿通穴４６にボルト１４ａが挿通され、その挿通されたボルト１４ａの先端部にナット１４ｂが締結されることにより、ターンバックル２の他方側端部に揺動自在に取付けられている。（図２参照）。
【００３４】
そして、この柱梁スパン調整治具１は、軸部５の両側に取付けられている枠体部６、６をねじ軸部７に対して螺進または螺退させることにより、ターンバックル２の長さが伸縮自在とされ、また、一方の枠体部６にロック部材３が揺動自在に支持されるとともに、他方の枠体部６にピン部材４が揺動自在に支持されており、伸縮自在のターンバックル２、ロック部材３およびピン部材４から構成されているので、簡易な構成で小型軽量に作製することができ、高所作業においても、良好な作業性を確保することができる。
【００３５】
次に、この柱梁スパン調整治具１の使用方法を、図４ないし図１１を参照しつつ、鉄骨柱に横梁を接合板を介して連結するときにおいて、鉄骨柱と横梁とのスパンを調整する作業を例にとって説明する。
【００３６】
この作業では、鉄骨建方の高所作業などにおいて、たとえば、図４に示すように、２つの鉄骨柱５２、５２の仕口部分にそれぞれ突設された継手プレート５３、５３にクレーンのフック６１などにワイヤー６２などを介して吊り下げられた横梁５４を、複数の接合板５５を介して連結するときに、継手プレート５３と横梁５４とのスパンを調整する。
【００３７】
横梁５４は、Ｈ鋼からなり、その端部には、取付穴としての横梁側ボルト穴５６が複数穿孔されている。継手プレート５３は、鉄骨柱５２における横梁５４が連結される仕口部分に突設され、その端部には、取付穴としての柱側ボルト穴５７が複数穿孔されている。接合板５５は、継手プレート５３および横梁５４を連結するときに、継手プレート５４および横梁５４の各板面を覆うことができる略矩形板状をなし、図８に示すように、横梁側ボルト穴５６および柱側ボルト穴５７に対応する接合板側ボルト穴５８が複数穿孔されている。また、各接合板５５は、横梁５４の各板面において、横梁５４の端部から突出しないような状態で、固定ボルト５９およびナット（図示せず）やヒンジ部材６０によって、予め回動自在に仮固定されている。
【００３８】
そして、この作業では、まず、図８に示すように、柱梁スパン調整治具１のロック部材３を横梁５４に固定する。すなわち、この固定作業では、ロック部材３を揺動させて、挿入部２２を横梁５４の横梁側ボルト穴５６に挿入するとともに、スライド部材２３を挿入部２２に対して挿入方向（下方向）にスライドさせて横梁５４の横梁側ボルト穴５６に挿入することにより、挿入部２２の先端部２８が横梁側ボルト穴５６から抜けないロック状態とする。
【００３９】
具体的には、まず、図５に示すように、柱梁スパン調整治具１は、使用前においては、ロック部材３の支持部２１および挿入部２２に対して、スライド部材２３を上方に引き上げた状態で、ストッパねじ３９を締め付けて、このストッパねじ３９を支持部２１の上側係止部２４の上面に当接させることにより、スライド部材２３をこの状態で保持しておく。
【００４０】
次いで、このロック部材３を、横梁５４に固定する時には、挿入部２２を、その先端部２８から横梁側ボルト穴５６に挿入するとともに、ストッパねじ３９を緩めて、スライド部材２３を支持部２１の外周面に対して挿入方向にスライドさせることにより、横梁側ボルト穴５６に挿入する。そうすると、図６に示すように、挿入部２２とスライド部材２３とで、挿入部２２の先端部２８が横梁側ボルト穴５６から抜けないロック状態が形成される。つまり、挿入部２２の先端部２８は、その中間部２９よりも太く形成されているので、横梁側ボルト穴５６にスライド部材２３が挿入されることにより、横梁側ボルト穴５６が、その分、塞がり、挿入部２２の先端部２８の内側上面が、横梁側ボルト穴５６の下側の外周面に引っかかる状態となって、その結果、ロック部材３が、横梁側ボルト穴５６から抜けないようになる。
【００４１】
そして、スライド部材２３を横梁側ボルト穴５６が塞がる厚さまで挿入した後、再び、ストッパねじ３９を、支持部２１の外周面に対して締め付けることで、スライド部材２３を支持部２１に固定する。これによって、ロック部材３は、横梁５４に対して確実にロック状態で固定される。
【００４２】
また、この固定作業においては、たとえば、図７に示すように、位置決めボルト２６を螺退させて、その頭部２６ａを横梁５４に当接させてもよい。すなわち、支持部２１の下面と先端部２８の内側上面との間が、横梁５４に対して広い場合には、固定後にがたつきを生じる場合がある。
【００４３】
そのような場合には、この位置決めボルト２６を、支持部２１に対して螺退させて横梁５４における横梁側ボルト穴５６の上側の外周面に当接させれば、その横梁５４における横梁側ボルト穴５６の上下の外周面を、位置決めボルト２６の頭部２６ａと先端部２８の内側上面との間で挟むようにして固定することができ、その結果、ロック部材３を横梁５４に対してより一層安定して固定することができる。
【００４４】
次に、この作業では、図９に示すように、ピン部材４を継手プレート５３の柱側ボルト穴５７に挿入する。具体的には、図８に示すように、ロック部材３が横梁５４に固定された状態で、ピン部材４を揺動させて、図９に示すように適宜所定の柱側ボルト穴５７にピン４２を挿入すればよい。
【００４５】
このようにすれば、横梁５４の横梁側ボルト穴５６に、ロック部材３をロック状態とした上で、鉄骨柱５２の柱側ボルト穴５７にピン部材４を挿入するのみで、簡易かつ確実に、柱梁スパン調整治具１を鉄骨柱５２および横梁５４に取付けることができ、高所作業における作業効率を向上させることができる。
【００４６】
そして、図９に示すように、ロック部材３が横梁５４に取付けられるとともに、ピン部材４が継手プレート５３に取付けられた状態で、シノ付ラチェットレンチ等の工具５１を取付筒部８に挿入して周方向一方向（縮小方向）に回転させる。そうすると、各杆体部６が軸部５のねじ軸部７上を螺進して、それによりターンバックル２の長さが、図９に示す矢印方向に縮小される。これによって、継手プレート５３および横梁５４が引き寄せられ、図１０に示すように突き合わせ状態となって、鉄骨柱５２と横梁５４とのスパン調整が達成される。
【００４７】
柱梁スパン調整治具１によるスパン調整作業が終了した後は、たとえば、横梁５４における上板と下板との間を連結する中央板面にヒンジ部材６０によって取付けられた接合板５５を、継手プレート５３側へ回動させて、継手プレート５３および横梁５４が突き合わされた部分を覆うようにし、接合板５５の接合板側ボルト穴５８を、横梁側ボルト穴５６および柱側ボルト穴５７にそれぞれ対応させて固定ボルト５９を挿通し、図示しないナットにより固定する。そして、ロック部材３のストッパねじ３９を緩めて、スライド部材２３を支持部２１の外周面に対して引き抜き方向（上方）にスライドさせることにより、横梁側ボルト穴５６から引き抜いてロック解除状態とする。そうすると、横梁側ボルト穴５６には、そのスライド部材２３が引き抜かれた分の隙間ができるので、挿入部２２を横梁側ボルト穴５６から引き抜くとともに、ピン部材４を柱側ボルト穴５７から引き抜くことにより、柱梁スパン調整治具１を、横梁５４および継手プレート５３から取り外す。
【００４８】
そして、横梁５４の他の各板面に取付けられた複数の接合板５５を、それぞれ継手プレート５３側へ回動させて、各接合板５５により、継手プレート５３および横梁５４が突き合わされた部分を覆うようにし、図１１に示すように、各横梁側ボルト穴５６、柱側ボルト穴５７、接合板側ボルト穴５８に固定ボルト５９をそれぞれ挿通して、ナット（図示せず）により固定することにより、鉄骨柱５２および横梁５４を接合板５５を介して連結する作業が完了する。
【００４９】
このような柱梁スパン調整治具１では、横梁５４にロック部材３を取付けるとともに、鉄骨柱５２にピン部材４を取付けた後に、ターンバックル２を伸縮させるだけで、横梁５４および鉄骨柱５２の間のスパンを簡易かつ確実に調整することができる。
【００５０】
しかも、このような柱梁スパン調整治具１では、ロック部材３により、横梁５４の横梁側ボルト穴５６に対しては一方向から取付作業を行なうことができるので、高所においても効率良く作業することができる。すなわち、ロック部材３においては、挿入部２２を横梁側ボルト穴５６に挿入するとともに、その挿入方向にスライド部材２３を横梁側ボルト穴５６に挿入することにより、この挿入部２２とスライド部２３とで、挿入部２２における中間部２９よりも太い先端部２８が横梁側ボルト穴５６から抜けないロック状態とすることができ、一方、スライド部材２３を、横梁側ボルト穴５６から引き抜いてロック解除状態にすれば、横梁側ボルト穴５６には、そのスライド部材２３が引き抜かれた分の隙間があるので、挿入部２２の先端部２８を横梁側ボルト穴５６から引き抜くことにより柱梁スパン調整治具１を取り外すことができる。つまり、横梁５４において下面側から作業することなく、横梁スパン調整治具１を固定および取り外すことができるので、迅速に、正確かつ確実なスパン調整作業を確保することができる。また、ロック部材３のロック状態では、挿入部２２の太い先端部２８が横梁側ボルト穴５６から抜けないようにされていることから、高所での落下が防止でき、耐力が強く、大きな力でターンバックル２を伸縮させて、確実に、鉄骨柱５２および横梁５４の間のスパンを調整することができる。
【００５１】
なお、ピン部材４は、挿入する柱側ボルト穴５７の穴径に対応する太さ（径）のピン４２を有するものを適宜選択して用いればよい。
【００５２】
また、本実施形態においては、１つの柱梁スパン調整治具を使用して鉄骨柱５２と横梁５４とのスパンを調整する作業を例にとって説明したが、使用する柱梁スパン調整治具の数は特に限定されず、鉄骨柱５２および横梁５４に対して複数取り付けてスパンを調整するようにしてもよい。
【００５３】
また、上記した方法では、横梁５４にロック部材３を、継手プレート５３にピン部材４を取付けたが、横梁５４および継手プレート５３に、ロック部材３またはピン部材４のいずれを取付けるか、あるいは、その取付の順序などは、特に限定されず、選択決定することができ、また、この柱梁スパン調整治具１は、このような２つの鉄骨柱５２、５２の仕口部分に限定されることなく、鉄骨建方における鉄骨柱５２および／または横梁５４のスパン調整に広く適用することができる。
【００５４】
また、上記の説明においては、鉄骨柱５２と横梁５４とを連結するときに、鉄骨柱５２と横梁５４とのスパンが長すぎる場合に、柱梁スパン調整治具１を用いて、鉄骨柱５２および横梁５４を引き寄せることにより、そのスパンを調整する方法を説明したが、たとえば、図１２に示すように、鉄骨柱５２と横梁５４とが重なり合い、継手プレート５３と横梁５４とのスパンが短すぎる場合にも、この柱梁スパン調整治具１を用いて鉄骨柱５２および横梁５４を引き離すことにより、そのスパンを調整することができる。
【００５５】
このようなスパン調整作業では、たとえば、継手プレート５３にロック部材３を取付けるとともに、横梁５４にピン部材４を取付けた後、工具５１を取付筒部８に挿入して周方向他方向（伸長方向）に回転させて、各枠体部６を軸部５のねじ軸部７上で螺退させることにより、ターンバックル２の長さを、図１２に示す矢印方向に伸長させればよい。
【００５６】
また、本実施形態においては、一方の枠体部６にロック部材３を取付けるとともに、他方の枠体部６にピン部材４を取付けるように構成したが、両方の枠体部６、６にロック部材３を取付けるようにしてもよい。
【００５７】
また、上記の説明では、本発明の連結杆をターンバックル２として説明したが、ターンバックルには、たとえば、ラチェットターンバックルなども含まれ、さらには、ターンバックル以外の公知のものも用いることができる。
【００５８】
【発明の効果】
以上述べたように、請求項１に記載の発明によれば、第１取付部材および／または第２取付部材が、ロック部材からなるので、柱梁の取付穴に対しては、一方向から取付作業することができ、高所においても効率良く作業することができる。また、ロック部材のロック状態では、挿入部の太い先端部が柱梁の取付穴から抜けないようにされていることから、高所での落下が防止でき、耐力が強く、大きな力で連結杆を伸縮させて、確実な柱梁のスパン調整を達成することができる。さらに、この柱梁スパン調整治具は、簡易な構成で小型軽量に作製することができ、高所作業においても、良好な作業性を確保することができる。
【００５９】
請求項２に記載の発明によれば、簡易かつ確実に、柱梁スパン調整治具を各柱梁に取り付けることができ、より一層、高所作業における作業効率を向上させることができる。
【００６０】
請求項３に記載の発明によれば、一方の柱梁に、第１取付部材を、適宜揺動させて取り付けることができるとともに、他方の柱梁に、第２取付部材を、適宜揺動させて取り付けることができるので、より一層、高所作業における作業効率を向上させることができる。
【図面の簡単な説明】
【図１】本発明の柱梁スパン調整治具の一実施形態を示す斜視図である。
【図２】図１に示す柱梁スパン調整治具の側面図である。
【図３】図１に示す柱梁スパン調整治具の平面図である。
【図４】鉄骨柱と横梁とを連結する場合において、鉄骨柱と横梁とのスパンを調整する作業を説明するための説明図である。
【図５】図１に示す柱梁スパン調整治具の使用状態を示す図であって、横梁のボルト穴に挿入部を挿入する状態を示す図である。
【図６】図１に示す柱梁スパン調整治具の使用状態を示す図であって、挿入部とスライド部材とで、挿入部の先端部が横梁の穴から抜けないロック状態を形成している状態を示す図である。
【図７】図１に示す柱梁スパン調整治具の使用状態を示す図であって、位置決めボルトを横梁に当接させて、柱梁スパン調整治具を横梁に固定している状態を示す図である。
【図８】鉄骨柱と横梁とを連結する場合において、鉄骨柱と横梁とのスパンを調整する作業を説明するための説明図であって、図１に示す柱梁スパン調整治具のロック部材を横梁のボルト穴に取付けている状態を示す図である。
【図９】鉄骨柱と横梁とを連結する場合において、鉄骨柱と横梁とのスパンを調整する作業を説明するための説明図であって、図１に示す柱梁スパン調整治具のピン部材を鉄骨柱のボルト穴に取付けるとともに、ターンバックルの長さを縮小して、鉄骨柱と横梁とのスパンを調整している状態を示す図である。
【図１０】鉄骨柱と横梁とを連結する場合において、鉄骨柱と横梁とのスパンを調整する作業を説明するための説明図であって、図１に示す柱梁スパン調整治具によって、鉄骨柱と横梁とが引き寄せられた状態を示す図である。
【図１１】鉄骨柱と横梁とを連結する場合において、鉄骨柱と横梁とのスパンを調整する作業を説明するための説明図であって、スパン調整後に、鉄骨柱と横梁とを連結した状態を示す図である。
【図１２】図１に示す柱梁スパン調整治具の使用状態を示す図であって、鉄骨柱と横梁とを引き離す場合の使用状態を示す図である。
【符号の説明】
１  柱梁スパン調整治具
２  ターンバックル
３  ロック部材
４  ピン部材
２１  支持部
２２  挿入部
２３  スライド部材
２８  先端部
２９  中間部
４２  ピン
５２  鉄骨柱
５４  横梁
５６  横梁側ボルト穴
５７  柱側ボルト穴
【図１】
0003581696.tif 000002
【図２】
0003581696.tif 000003
【図３】
0003581696.tif 000004
【図４】
0003581696.tif 000005
【図５】
0003581696.tif 000006
【図６】
0003581696.tif 000007
【図７】
0003581696.tif 000008
【図８】
0003581696.tif 000009
【図９】
0003581696.tif 000010
【図１０】
0003581696.tif 000011
【図１１】
0003581696.tif 000012
【図１２】
0003581696.tif 000013